(57)【要約】【課題】複数の種類の香料に対しても可溶化能に優れ、香料の選択性が小さい可溶化剤を提供する。【解決手段】一般式（１）で表される非イオン性界面活性剤、ヒドロキシル基を有する油脂のアルキレンオキサイド付加物およびアニオン性界面活性剤を含有する可溶化剤である。      Ｒ1Ｏ−[(Ｃ2Ｈ4Ｏ)ｐ・(Ａ1Ｏ)ｑ]-(Ｃ2Ｈ4Ｏ)ｒ-(Ａ2Ｏ)ｓ−Ｈ  （１）式中、Ｒ1は炭素数８〜２４のアルキル基もしくはアルケニル基、炭素数８〜２４のアシル基と炭素数１〜６のアルキル基を有するアシロキシアルキル基もしくはアシルアミノアルキル基、または炭素数８〜２４のアリールアルキル基；Ａ1およびＡ2は炭素数３または４のアルキレン基；ｐおよびｒは平均が０〜１００となる０または１以上の整数、ｑは平均が１〜１０となる０または１以上の整数、ｓは平均が０〜１０となる０または１以上の整数；［(Ｃ2Ｈ4Ｏ)ｐ・(Ａ1Ｏ)ｑ］はランダム付加またはブロック付加を示す。【選択図】  なし【特許請求の範囲】
【請求項１】
一般式（１）で表される非イオン性界面活性剤（Ａ）、ヒドロキシル基を有する油脂のアルキレンオキサイド付加物（Ｂ）およびアニオン性界面活性剤（Ｃ）を含有する可溶化剤。
Ｒ1Ｏ−[(Ｃ2Ｈ4Ｏ)ｐ・(Ａ1Ｏ)ｑ]-(Ｃ2Ｈ4Ｏ)ｒ-(Ａ2Ｏ)ｓ−Ｈ  （１）
[式中、Ｒ1は炭素数８〜２４のアルキル基もしくはアルケニル基、炭素数８〜２４のアシル基と炭素数１〜６のアルキル基を有するアシロキシアルキル基もしくはアシルアミノアルキル基、または炭素数８〜２４のアリールアルキル基；Ａ1およびＡ2は炭素数３または４のアルキレン基；ｐおよびｒは平均が０〜１００となる０または１以上の整数、ｑは平均が１〜１０となる０または１以上の整数、ｓは平均が０〜１０となる０または１以上の整数；［(Ｃ2Ｈ4Ｏ)ｐ・(Ａ1Ｏ)ｑ］はランダム付加またはブロック付加を示す。]
【請求項２】
（Ｂ）がヒマシ油または硬化ヒマシ油のエチレンオキサイド１０〜１００モル付加物である請求項１記載の可溶化剤。
【請求項３】
（Ｃ）がスルホサクシネート型アニオン性界面活性剤、アルキルエーテルサルフェート型アニオン性界面活性剤およびアルカンスルホネート型アニオン性界面活性剤からなる群から選ばれる１種以上である請求項１または２記載の可溶化剤。
【請求項４】
（Ａ）、（Ｂ）および（Ｃ）の合計質量に基づいて、（Ａ）を５〜５０質量％、（Ｂ）を１０〜８０質量％、および（Ｃ）を０．１〜３０質量％含有する請求項１〜３のいずれか記載の可溶化剤。
【請求項５】
さらに、一般式（２）で表される非イオン性界面活性剤（Ｄ）を含有する請求項１〜４のいずれか記載の可溶化剤。
Ｒ2Ｏ（Ｃ2Ｈ4Ｏ）m−Ｈ           （２）
［式中、Ｒ2は炭素数８〜２４のアルキル基もしくはアルケニル基、炭素数８〜２４のアシル基と炭素数１〜６のアルキル基を有するアシロキシアルキル基もしくはアシルアミノアルキル基、または炭素数８〜２４のアリールアルキル基、ｍは平均が４〜１００となる０または１以上の整数である。］
【請求項６】
さらに他の非イオン性界面活性剤（Ｅ）および／または両性界面活性剤（Ｆ）を含有してなる請求項１〜５いずれか記載の可溶化剤。
【請求項７】
請求項１〜６いずれか記載の可溶化剤と香料を必須成分とし、さらに親水性有機溶媒（Ｇ）、その他の添加剤（Ｈ）および水からなる群から選ばれる１種以上を含有してなる芳香剤。
【請求項８】
部屋、トイレまたは車用である請求項７記載の芳香剤。
【発明の詳細な説明】
【技術分野】
【０００１】
本発明は、可溶化剤、詳しくは部屋、トイレ、車などに使用される芳香剤や各種の化粧品において、香料や油脂類等の油性成分を芳香剤や化粧品中に安定に可溶化させるための可溶化剤およびそれを用いたゲル状芳香剤に関する。
【背景技術】
【０００２】
従来より、芳香剤や化粧品等において、香料や油脂類の油性成分の分離を防止するための可溶化剤としては、多くのものが提案されている。例えば、分枝アルキル基あるいはアルケニル基をもつ高級アルコールのアルキレンオキシド付加物（特許文献−１）、フェノール類のエチレンオキシドまたはプロピレンオキシド付加物（特許文献−２）、脂肪族アルコールのアルキレンオキサイド付加物とトリグリセリドのエチレンオキサイド付加物の配合物（特許文献−３）、アルキルフェノールのエチレンオキサイド付加物と硬化ヒマシ油のエチレンオキサイド付加物（特許文献−４）等が知られている。
しかしながら、これまでに提案された可溶化剤は、特定の香料に対しては可溶化能を発揮するが、香料の種類を代えると可溶化効果が発揮できなくなることが多く、香料の選択性があった。例えば、香料との配合直後は透明に可溶化できていても、各種の温度で（例えば５℃〜４０℃）で１ヶ月間保存すると、香料の種類によっては白濁化したり、半透明になったりすることがあった。
【特許文献−１】特開昭５４−１３２４９１号公報
【特許文献−２】特開昭５７−７０１９７号公報
【特許文献−３】特表２００３−５３４４３１号公報
【特許文献−４】特開平９−３０１８４４号公報
【発明の開示】
【発明が解決しようとする課題】
【０００３】
本発明の課題は、複数の種類の香料に対しても可溶化能に優れた、香料の選択性が小さい可溶化剤を提供することにある。
【課題を解決するための手段】
【０００４】
本発明者らは、上記の課題を解決すべく鋭意研究を重ねた結果、本発明に到達した。
すなわち、本発明は、一般式（１）で表される非イオン性界面活性剤（Ａ）、ヒドキシル基を有する油脂のアルキレンオキサイド付加物（Ｂ）およびアニオン性界面活性剤（Ｃ）を含有する可溶化剤、並びに該可溶化剤と香料を必須成分とし、さらに親水性有機溶媒（Ｇ）、その他の添加剤（Ｈ）および水からなる群から選ばれる１種以上を含有してなる芳香剤である。
Ｒ1Ｏ−[(Ｃ2Ｈ4Ｏ)ｐ・(Ａ1Ｏ)ｑ]-(Ｃ2Ｈ4Ｏ)ｒ-(Ａ2Ｏ)ｓ−Ｈ  （１）
式中、Ｒ1は炭素数８〜２４のアルキル基もしくはアルケニル基、炭素数８〜２４のアシル基と炭素数１〜６のアルキル基を有するアシロキシアルキル基もしくはアシルアミノアルキル基、または炭素数８〜２４のアリールアルキル基、Ａ1およびＡ2は炭素数３または４のアルキレン基、ｐおよびｒは平均が０〜１００となる０または１以上の整数、ｑおよびｓは平均が１〜１０となる０または１以上の整数、［(Ｃ2Ｈ4Ｏ)ｐ・(Ａ1Ｏ)ｑ］はランダム付加またはブロック付加を示す。
【発明の効果】
【０００５】
本発明の可溶化剤は、複数の種類の香料に対しても可溶化能に優れており、香料の選択性が小さい。
【発明を実施するための最良の形態】
【０００６】
本発明における非イオン性界面活性剤（Ａ）は一般式（１）で表され、式中のＲ1としては以下の基が挙げられる。
炭素数が８〜２４（好ましくは８〜２０、さらに好ましくは１０〜１８）のアルキル基としては、直鎖もしくは分岐のアルキル基またはシクロアルキル基、例えばｎ−、ｉ−オクチルおよび２−エチルヘキシル基、ｎ−およびｉ−ノニル基、ｎ−およびｉ−デシル基、ｎ−およびｉ−ドデシル基、ｎ−およびｉ−トリデシル基、ｎ−およびｉ−テトラデシル基、ｎ−およびｉ−ヘキサデシル基、ステアリル基、ノナデシル基、エイコシル基、並びにテトラコシル基等；
炭素数が８〜２４（好ましくは８〜２０、さらに好ましくは１０〜１８）アルケニル基としては、オクテニル基、デセニル基、ウンデセニル基、ドデセニル基、テトラデセニル基、ヘキサデセニル基、オクタデセニル基、オレイル基、およびガドレイル基等；
炭素数８〜２４（好ましくは８〜２０、さらに好ましくは１０〜１８）のアシル基を有し、かつ炭素数１〜６（好ましくは１〜４、さらに好ましくは１〜２）のアルキル基を有するアシロキシアルキル基としては、ラウロイロキシエチル基、ラウロイロキシプロピル基、ステアロイロキシエチル基、ステアロイロキシプロピル基、オレオイロキシエチル基、オレオイロキシプロピル基等；
炭素数８〜２４（好ましくは１２〜２０、さらに好ましくは１４〜２０、特に好ましくは１６〜２０）のアシル基を有し、かつ炭素数１〜６（好ましくは１〜４、さらに好ましくは１〜２）のアルキル基を有するアシルアミノアルキル基としては、ラウラミドエチル基、ラウラミドプロピル基、ステアラミドエチル基、ステアラミドプロピル基等；
炭素数８〜２４のアリールアルキル基としては、アルキル基の炭素数が２〜１８のもの、例えば６−フェニルヘキシル基、７−フェニルヘプチル基、８−フェニルオクチル基、１０−フェニルデシル基、１２−フェニルドデシル基等；が挙げられる。
【０００７】
これらのうち、香料の可溶化能の選択性の観点から好ましいものは炭素数８〜２０のアルキル基およびアルケニル基であり、特に、炭素数１０〜１８のアルキル基およびアルケニル基である。
【０００８】
Ａ1およびＡ2の炭素数３〜４のアルキレン基としては、１，２−プロピレン基、１，２−ブチレン基、２，３−ブチレン基および１，４−ブチレン基があげられ、これらのうち好ましいのは１，２−プロピレン基である。
【０００９】
（Ａ1Ｏ）ｑおよび（Ａ2Ｏ）ｓにおいて、Ａ1とＡ2は同一でも異なっていてもよい。また［(Ｃ2Ｈ4Ｏ)ｐ・(Ａ1Ｏ)ｑ］の付加形式は、ランダム付加またはブロック付加のいずれでもよい。
【００１０】
（Ａ）はアルキレンオキサイド付加物であり、アルキレンオキサイド付加物は通常は一定の付加モル数分布を有する化合物の混合物からなり、（Ａ）は一般式（１）においてそれぞれ異なるｐ、r、ｑおよびｓを有する化合物の混合物である。
ｐおよびｒはそれぞれ平均が０〜１００、好ましくは２〜８０、さらに好ましくは４〜６０となる０または１以上の整数、ｑは平均が１〜１０、好ましくは１〜８、さらに好ましくは２〜６となる０または１以上の整数である。ｓは平均が０〜１０、好ましくは０〜８、さらに好ましくは０〜６となる０または１以上の整数である。
ｐまたはｒの平均が１００を越えると香料の可溶化能における香料の種類の選択性が大きくなり、ｑおよび／またはｓの平均が１０を越えても香料の可溶化能における香料の種類の選択性が大きくなる。
【００１１】
本発明における（Ｂ）は、分子中に少なくとも１個のヒドロキシル基を有する油脂のアルキレンオキサイド付加物である。ヒドロキシル基を有する油脂としては、炭素数８〜２４の脂肪酸モノおよびジグリセライド、炭素数８〜２４のヒドロキシ脂肪酸トリグリセライド（ヒマシ油および硬化ヒマシ油など）が挙げられる。これらのうち好ましいのは炭素数８〜２４のヒドロキシ脂肪酸トリグリセライド、さらに好ましいのはヒマシ油または硬化ヒマシ油である。アルキレンオキサイドとしては、エチレンオキサイド（以下、ＥＯと略記する）、１，２−プロピレンオキサイド（以下、ＰＯと略記する）、１，２−ブチレンオキサイドなどが挙げられ、２種以上を併用する場合の付加形式はブロックでもランダムでもよい。これらのうち好ましいのはＥＯであり、付加モル数は１０〜１００モル、好ましくは１５〜８０モル、さらに好ましくは２０〜６０モルである。
【００１２】
（Ａ）および（Ｂ）は、公知の方法で製造できる。例えば、Ｒ1−ＯＨで表されるアルコール類に触媒（水酸化ナトリウム、水酸化カリウムなどのアルカリ触媒）の存在下で、アルキレンオキサイドを８０〜２００℃で付加反応させることにより製造できる。
【００１３】
本発明におけるアニオン性界面活性剤（Ｃ）としては以下のものが挙げられる。
（Ｃ１）スルホサクシネート型アニオン性界面活性剤；
炭素数８〜２４の炭化水素基を有するスルホコハク酸エステル塩［モノもしくはジアルキル（ラウリル、オクチル、２−エチルヘキシル、ミリスチル、ステアリルなど）スルホコハク酸エステルジもしくはモノナトリウム、および（ポリ）オキシエチレン（重合度＝１〜１００）モノもしくはジアルキル（ラウリルオクチル、２−エチルヘキシル、ミリスチル、ステアリルなど）スルホコハク酸エステルジもしくはモノナトリウム等］、
（Ｃ２）アルキルエーテルサルフェート型アニオン性界面活性剤；
炭素数８〜２４のアルキル基を有するエーテルサルフェート、例えば（ポリ）オキシエチレン（重合度＝１〜１００）ラウリルエーテルサルフェートナトリウム塩、およびポリオキシエチレン（重合度＝１〜５０）テトラデシルエーテルサルフェートナトリウム塩など、
（Ｃ３）アルカンスルホネート型アニオン性界面活性剤；
炭素数８〜２４のアルキル基を有するスルホン酸塩［ドデシルスルホン酸ナトリウムなど］、
（Ｃ４）その他のアニオン性界面活性剤；
炭素数８〜２４の炭化水素基を有するエーテルカルボン酸またはその塩［（ポリ）オキシエチレン（重合度＝１〜１００）ラウリルエーテル酢酸ナトリウムなど］、（ポリ）オキシエチレン（重合度＝１〜１００）ヤシ油脂肪酸モノエタノールアミド硫酸ナトリウム、アルキルベンゼンスルホン酸塩、炭素数８〜２４のの炭化水素基を有するリン酸エステル塩［ラウリルリン酸ナトリウム、（ポリ）オキシエチレン（重合度＝１〜１００）ラウリルエーテルリン酸ナトリウムなど］、脂肪酸塩［ラウリン酸ナトリウム、ラウリン酸トリエタノールアミンなど］、アシル化アミノ酸塩［ヤシ油脂肪酸メチルタウリンナトリウム、ヤシ油脂肪酸ザルコシンナトリウム、ヤシ油脂肪酸サルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム、ラウロイルメチル−β−アラニンナトリウムなど］。
これらのうち好ましいのは、（Ｃ１）、（Ｃ２）および（Ｃ３）のうちの１種以上である。
【００１４】
本発明の可溶化剤は、香料の選択性の観点から、（Ａ）、（Ｂ）および（Ｃ）の合計質量に基づいて、（Ａ）を好ましくは５〜５０質量％、さらに好ましくは１０〜３５％（以下、特に限定しない限り％は質量％を表す）、特に好ましくは１３〜３５％含有する。また、（Ｂ）を好ましくは１０〜８０％、さらに好ましくは２０〜７０％、特に好ましくは２５〜６５％含有する。また、（Ｃ）を好ましくは０．１〜３０％、さらに好ましくは１〜２５％、特に好ましくは２〜１５％含有する。
【００１５】
本発明の可溶化は、さらに必要により一般式（２）で表される非イオン性界面活性剤（Ｄ）を含有してもよい
Ｒ2Ｏ（Ｃ2Ｈ4Ｏ）m−Ｈ                     （２）
【００１６】
Ｒ2は炭素数８〜２４のアルキル基もしくはアルケニル基、炭素数８〜２４のアシル基と炭素数１〜６のアルキル基を有するアシロキシアルキル基もしくはアシルアミノアルキル基、または炭素数８〜２４のアリールアルキル基、ｍは平均が４〜１００、好ましくは８〜８０、さらに好ましくは１０〜６０となる０または１以上の整数である。
ｍの平均が４〜１００であれば香料の選択性が小さくなりやすく好ましい。
【００１７】
一般式（２）において、Ｒ2としてはＲ1で例示した基と同様の基が挙げられ、香料の可溶化能の選択性の観点から好ましいものは炭素数８〜２０のアルキル基およびアルケニル基であり、特に、炭素数１０〜１８のアルキル基およびアルケニル基である。
【００１８】
本発明の可溶化剤において、（Ｄ）の含有量は、（Ａ）〜（Ｄ）の合計質量に基づいて、好ましくは０〜５０％、さらに好ましくは０〜４０％、特に好ましくは１０〜３５％である。
上記の含有量の範囲であれば、香料の選択性が大きくなりにくいので好ましい。
【００１９】
本発明の可溶化剤は、さらに必要により、他の非イオン界面活性剤（Ｅ）および／または両性界面活性剤（Ｆ）を含有してもよい。
【００２０】
他の非イオン性界面活性剤（Ｅ）は、（Ａ）、（Ｂ）および（Ｄ）以外の非イオン性界面活性剤であり以下のものが挙げられる。
脂肪酸（炭素数８〜１８）ＥＯ（付加モル数１〜６０）付加物；ポリプロピレングリコール（分子量２００〜４０００）ＥＯ（付加モル数１〜１００）付加物；ポリオキシエチレン（付加モル数３〜６０）アルキル（炭素数６〜２０）アリルエーテル；ソルビタンモノラウレートＥＯ（付加モル数１〜３０）付加物、ソルビタンモノオレートＥＯ（付加モル数１〜３０）付加物などの多価（２〜８価またはそれ以上）アルコール（炭素数２〜３０）の脂肪酸（炭素数８〜２４）エステルＥＯ付加物（付加モル数１〜６０）；ポリオキシエチレン（付加モル数１〜１００）アルキル（炭素数８〜２４）アミン；グリセリンモノステアレート、グリセリンモノオレート、ソルビタンモノラウレート、ソルビタンモノオレート等の多価（２〜８価またはそれ以上）アルコール（炭素数２〜３０）の脂肪酸（炭素数８〜２４）エステル；ラウリン酸モノエタノールアミド、ラウリン酸ジエタノールアミド等の脂肪酸アルカノールアミド；並びにラウリルジメチルアミンオキサイド；が挙げられる。
【００２１】
両性界面活性剤（Ｆ）としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン、ラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウムシンなど］が挙げられる。
【００２２】
（Ｅ）を併用する場合の（Ｅ）の含有量は、可溶化剤中の（Ａ）〜（Ｆ）の合計質量に基づいて、好ましくは０〜５０％、さらに好ましくは０〜３０％、特に好ましくは０％である。
また、（Ｆ）を併用する場合の（Ｆ）の含有量は、可溶化剤中の（Ａ）〜（Ｆ）の合計質量に基づいて、好ましくは０〜５０％、さらに好ましくは０〜３０％、特に好ましくは０％である。
【００２３】
本発明の可溶化剤は上記の（Ａ）〜（Ｃ）を必須成分とし、必要により（Ｄ）〜（Ｆ）を加えてなる組成物である。
【００２４】
本発明の可溶化剤は、各原料成分を配合することにより得ることができる。
配合においては必要により加熱（通常３０〜８０℃）して溶解し、撹拌混合してもよい。本発明の可溶化剤は、通常は液状または固状であり、固状の場合の融点は通常３０〜８０℃である。
【００２５】
本発明の芳香剤は上記の可溶化剤と香料を必須成分とし、さらに親水性有機溶媒（Ｇ）、その他の添加剤（Ｈ）および水からなる群から選ばれる１種以上を含有する。
【００２６】
芳香剤において使用できる香料は、天然香料あるいは合成香料のいずれでも使用可能で、調合香料でもよい。
【００２７】
天然香料としては、じゃ香などの動物性香料；アビエス油、アジョクン油、アルモンド油、アンゲリカルート油、ページル油、ペルガモット油、パーチ油、ボアバローズ油、カヤブチ油、ガナンガ油、カプシカム油、キャラウエー油、カルダモン油、カシア油、セロリー油、シンナモン油、シトロネラ油、コニャック油、コリアンダー油、キュペブ油、クミン油、樟脳油、ジル油、エストゴラン油、ユーカリ油、フェンネル油、ガーリック油、ジンジャー油、グレープフルーツ油、ホップ油、ジュニパーペリー油、ローレルリーフ油、レモン油、レモングラス油、ロページ油、メース油、ナツメグ油、マンダリン油、タンゼリン油、カラシ油、はつか油、燈花油、オレンジ油、セイジ油、スターアニス油、テレピン油およびウォームウッド油などの植物性香料が挙げられる。
【００２８】
合成香料としては、ピネン、リモネン、オシメン、グアイエンなどの炭化水素類；リナロール、ゲラニオール、シトロネロール、メントール、ボルネオール、ベンジルアルコール、アニスアルコール、α−フェニルエチルアルコール、β−フェニルエチルアルコール、ロジノール、アンブリノール、１−オクタノール、３−オクタノール、９−デセノール、１−ウンデセノール、ジヒドロカルベオール、プレノール、エチルリナロール、３−ヘプタノール、ベンジルオイゲノール、２−エチルヘキサノール、３−ヘキセノール、２,４−ジメチル−３−シクロヘキセン−１−メタノール、Ｐ−イソプロピルシクロヘキセンメタノール、１−ノナノール、２−ノナノール、Ｐ-イソプロピルシクロヘキサノール、２−メチル−３−ブテン−２−オール、２−ヘキセノール、１−ノネン−３−オール、トオクテン−３−オール、３−メチル−１−ベンタノール、３,４,５,６,６−ペンタメチル−２−ヘプタノールなどのアルコール類；アネトール、オイゲノールなどのフェノール類；ｎ−ブチルアルデヒド、イソブチルアルデヒド、ヘキシルアルデヒド、ヘプチルアルデヒド、ｎ−ノニルアルデヒド、ノナジエナール、シトラール、シトロネラール、ベンズアルデヒド、シンナミックアルデヒド、ヘリオトロピン、ワニリン、２−ドデセナール、２,５,６−トリメチル−４−ヘプタナール、トリメチルウンデセナール、２−デセナール、Ｐ−トリルアルデヒド、アセトアルデヒドジエチルアセタール、ｎ−オクタナール、ｎ−デカナール、Ｐ−イソプロピルフェニルアセトアルデヒド、オクタナールジメチルアセタール、ｎ−ノナナール、ウンデカナール、１０−ウンデセナール、フェニルプロピオンアルデヒド、３−ヘキセナール２−ウンデセナール、Ｐ−メチルヒドラトロパアルデヒドなどのアルデヒド類；メチルアミルケトン、メチルノニルケトン、ジアセチル、アセチルプロピオニル、アセチルブチリル、カルボン、メントン、樟脳、アセトフェノン、ｐ−メチルアセトフェノン、イオノン、ジヒドロカルボン、２−ウンデカノンなどのケトン類；アミルブチロラクトン、メチルフェニルグリシド酸エチル、γ−ノニルラクトン、クマリン、シネオール、ジャスミンラクトン、メチルｒ−デカラクトン、２,２,６−トリメチル−６−ビニルテトラヒドロピラン、５−イソプロペロル−２−メチル−２−ビニルテトラヒドロフランなどのラクトン又はオキシド類；メチルフォーメート、イソプロピルフォーメート、リナリールフォーメート、エチルアセテート、オクチルアセテート、メンチルアセテート、ベンジルアセテート、シンナミルアセテート、プロピオン酸ブチル、酢酸イソアミル、イソ酪酸イソプロピル、イソ吉草酸グラニル、カプロン酸アリル、ヘプチル酸ブチル、カプリル酸オクチル、ヘプチンカルボン酸メチル、ペラハゴン酸エチル、オクチンカルボン酸メチル、カプリン酸イソアシル、ラウリン酸メチル、ミリスチン酸エチル、安息香酸エチル、安息香酸ベンジル、フェニル酢酸メチル、フェニル酢酸ブチル、桂皮酸メチル、桂皮酸シンナミル、サルチル酸メチル、アニス酸エチル、アンスラニル酸メチル、エチルピルベート、エチルα−ブチルブチレート、酢酸デシル、ギ酸プロピルなどのエステル類などが挙げられる。
香料は一種類のみでもよいし、二種類以上を配合した配合香料でもよい。
【００２９】
本発明の芳香剤における香料／可溶化剤の質量比は５／１〜１／５であることが好ましく、さらに好ましくは３／１〜１／３である。
【００３０】
必要により使用できる親水性有機溶媒（Ｇ）としては、炭素数２〜５の多価アルコール（２価アルコール：エチレングリコール、プロピレングリコール、ジエチレングリコールおよびジプロピレングリコールなど、３価アルコール：グリセリンなど）、炭素数２〜６の１価アルコール（エタノール、イソプロパノール、ブタノールおよび３−メチル−３−メトキシブタノールなど）、炭素数３〜２０のグリコールエーテル（モノアルキルエーテル：ジエチレングリコールモノメチルエーテル、ジエチレングリコールモノエチルエーテル、ジエチレングリコールモノブチルエーテル、エチレングリコールモノブチルエーテルおよびエチレングリコールモノフェニルエーテルなど、ジアルキルエーテル：エチレングリコールジメチルエーテル、ジエチレングリコールジメチルエーテル、トリエチレングリコールジメチルエーテル、ジエチレングリコールジエチルエーテル、ジエチレングリコールイソプロピルメチルエーテル、ジプロピレングリコールジメチルエーテルおよびジプロピレングリコールｎ−プロピルメチルエーテルなど）、窒素原子含有親水性溶媒（Ｎ−メチルピロリドン、Ｎ−エチルピロリドン、２−ピロリドン、Ｎ−メチルホルムアミドおよびＮ，Ｎ−ジメチルホルムアミドなど）、ラクトン系親水性溶媒（プロピオラクトンおよびブチロラクトンなど）、ケトン系親水性溶媒（メチルエチルケトン、シクロヘキサノンおよびジアセトンアルコールなど）、環状エーテル系親水性溶媒（テトラヒドロフランおよびテトラヒドロピランなど）、エステル系親水性溶媒（酢酸エチル、乳酸エチル、乳酸ブチルおよびアセト酢酸エチルなど）から選ばれる１種または２種以上を使用することができる。好ましくは炭素数２〜５の多価アルコール、炭素数２〜６の１価アルコールまたは炭素数３〜２０のグリコールエーテルである。また、２種以上を併用する場合の比率は特に限定されない。
（Ｇ）の含有量は、芳香剤中の水以外の成分の合計質量に基づいて、好ましくは０〜８０％、さらに好ましくは０〜６０％、特に好ましくは１０〜５０％である。
【００３１】
その他の添加剤（Ｈ）としては、アルカリ剤［トリエタノールアミン、モノエタノールアミンなど］およびキレート剤［ＥＤＴＡ，ＮＴＡなど］を芳香剤中の水以外の成分の合計質量に基づいて０〜１０％、抗菌剤［イソチアゾリン系（２−ｎ−オクチル−４−イソチアゾリン−３−オンなど）、イミダゾール系（チアベンダゾールなど）、カーバニリド系抗菌剤（トリクロロカルバニリドなど）、トリアジン系（デブコナゾールなど）、天然系（ヒノキチオールなど）およびビグアナイド系（ポリヘキサメチレンビグアナイドなど）］、着色剤［無機系顔料（群青、紺青およびコバルトバイオレットなど）、有機系顔料（赤色２０１号、赤色４０５号、青色１号、黄色４号および緑色３号など）および天然色素（クロロフィルおよびβ−カロチンなど）］等を芳香剤中の水以外の成分の合計質量に基づいてそれぞれ０〜５％、消泡剤［（シリコーン系消泡剤，ポリオキシアルキレン系消泡剤，鉱物油系消泡剤など）を芳香剤中の水以外の成分の合計質量に基づいて０〜５％含有することができる。
【００３２】
本発明の芳香剤における水の含有量は、芳香剤の全質量に基づいて、好ましくは０〜９９％、さらに好ましくは２０〜９７％である。
芳香剤の形状は、液状、ペースト状、粉末状、フレークおよびブロック状などであり、特に限定されないが、取り扱い易さの観点で好ましくは液状である。
【００３３】
本発明の芳香剤は特に部屋、トイレまたは車用の芳香剤として好適である。
【００３４】
本発明の可溶化剤は、香料のみでなく、さらに他の油性成分、例えば化粧品原料（各種の植物性油脂および動物性油脂など）および医薬原料などの可溶化剤としても使用できる。
【００３５】
［実施例］
以下、実施例および製造例により本発明をさらに詳細に説明するが、本発明はこれに限定されるものではない。
【００３６】
＜（Ａ）の製造＞
製造例１
耐圧反応容器にトリデシルアルコール２００部と水酸化カリウム２部を仕込み、窒素置換後密閉し、１３０℃に昇温した。撹拌下にＥＯ８８部を２時間かけて滴下し、さらに１３０℃で２時間熟成した後、さらに撹拌下にＰＯ１１６部を２時間かけて滴下し、１３０℃で２時間熟成した。さらに、撹拌下にＥＯ４４０部を３時間かけて滴下し、１３０℃で３時間熟成し、非イオン性界面活性剤（Ａ-１）［トリデシルアルコール−（ＥＯ）２モル−（ＰＯ）２モル−（ＥＯ）１０モル付加物］を得た。
【００３７】
製造例２
製造例１と同様の容器に、トリデシルアルコール２００部と水酸化カリウム２部を仕込み、窒素置換後密閉し、１３０℃に昇温した。撹拌下にＥＯ１７６部とＰＯ１１６部混合したものを３時間かけて滴下し、１３０℃で２時間熟成した後、さらに、撹拌下にＥＯ１７６部を２時間かけて滴下し、１３０℃で３時間熟成し、非イオン性界面活性剤（Ａ-２）［トリデシルアルコール−（ＥＯ）４モル／（ＰＯ）２モル−（ＥＯ）４モル付加物］（／はランダム付加を表す）を得た。
【００３８】
＜（Ｂ）の製造＞
製造例３
製造例１と同様の容器に硬化ヒマシ油（水酸基価：１６０）５２６部と水酸化カリウム０．３部を仕込み、窒素置換後密閉し、１６０℃に昇温した。撹拌下にＥＯ８８０部を４時間かけて滴下し、１６０℃で３時間熟成し、非イオン界面活性剤［硬化ヒマシ油−(ＥＯ)４０モル付加物］（Ｂ−１）を得た。
【００３９】
＜（Ｄ）の製造＞
製造例４
製造例１と同様の容器に、イソデシルアルコール１５８部と水酸化カリウム０．２部を仕込み、窒素置換後密閉し、１６０℃に昇温した。撹拌下、ＥＯ３０８部を滴下し、１６０℃で３時間撹拌し、非イオン界面活性剤［イソデシルアルコール(ＥＯ)７モル付加物］（Ｄ-１）を得た。
【００４０】
製造例１、３または４に準じて下記の界面活性剤をそれぞれ製造した。
（Ａ−３）；ミリスチルアルコール−（ＥＯ）２モル／（ＰＯ）２モル−（ＥＯ）１０モル付加物
（Ｂ−２）；硬化ヒマシ油−（ＥＯ）６０モル付加物
（Ｄ−２）；トリデシルアルコール−（ＥＯ）９モル付加物
【００４１】
（Ｃ）としては、以下のものを使用した。
（Ｃ−１）；ジオクチルスルホコハク酸エステルナトリウム塩
（Ｃ−２）；ポリオキシエチレン（２モル）ラウリルエーテルサルフェートナトリウム塩
（Ａ）〜（Ｄ）を表１記載の量（部）を混合し、可溶化剤を製造した。得られた可溶化剤を用いて芳香剤を製造し、可溶化能を以下の方法で評価した。
【００４２】
＜芳香剤の製造＞
２００ｍｌビーカーに下記の香料１．５ｇ、３−メチル−３−メトキシブタノール１．５ｇおよび可溶化剤２.０ｇを入れ、室温においてマグネチックスタラーで撹拌しながら水９５.０ｇを徐々に加えて液状の芳香剤を製造した。製造直後のいずれの芳香剤も無色透明であった。
香料Ａ：ラベンダー系（グアイエン）
香料Ｂ：柑橘系（オレンジ油）
香料Ｃ：フローラル系（オシメン）
【００４３】
＜芳香剤の経日安定性試験＞
上記で製造した芳香剤を、それぞれ５℃、２５℃、４０℃の恒温槽中で静置し、１ヵ月後の芳香剤の状態を目視にて観察した。結果を表１に示す。
本発明の芳香剤は、いずれの香料を使用した場合でも１ヶ月後に無色透明またはわずかに青みが出る程度であり、比較低低温から高温の保存状態であっても、比較例の芳香剤に比べて香料の種類による可溶化能の選択性が少ない。
【００４４】
【表１】
2007000460.tif 000002
【産業上の利用可能性】
【００４５】
本発明の可溶化剤を用いた芳香剤は特に部屋、トイレまたは車用の芳香剤として好適である。